【手続補正書】
【提出日】平成19年10月3日(2007.10.3)
【手続補正１】
【補正対象書類名】明細書
【補正対象項目名】特許請求の範囲
【補正方法】変更
【補正の内容】
【特許請求の範囲】
【請求項１】  ワイヤレス電話呼を発生するための方法であって、
（ａ）  （１）  少なくとも、第１の呼発生スキームを呼び出される少なくとも第１の起こり得る電話番号に関連付けるとともに、
（２）  第２の呼発生スキームを呼び出される少なくとも第２の起こり得る電話番号に関連付け（１０２）、
（ｂ）  ワイヤレス電話において上記関連付けを表わすデータを記憶し（１０４）、
（ｃ）  前記電話番号の１つを前記ワイヤレス電話に入力し（１０６）、
（ｄ）  前記入力された電話番号に関連する前記呼発生スキームを決定し（１０８）、
（ｅ）  上記関連付けられた呼発生スキームに従って呼を設定すること（１１０）
を含むことを特徴とする方法。
【請求項２】  前記データはルックアップテーブルを含むことをさらなる特徴とする請求項１記載の方法。
【請求項３】  前記データはスクリプト（１２２）を含むことをさらなる特徴とする請求項１記載の方法。
【請求項４】  前記関連付けは、
（ａ）  （１）  少なくとも第１の複数の電話番号を第１のタイプにグループ化するとともに、
（２）  少なくとも第２の複数の電話番号を第２のタイプにグループ化し（１１２）、
（ｂ）  （１）  前記第１の呼発生スキームを前記第１のタイプに関連付けるとともに、
（２）  前記第１の呼発生スキームを前記第２のタイプに関連付けること（１１４）
を含むことを特徴とする請求項１記載の方法。
【請求項５】  （ａ）  前記グループ化は、前記ワイヤレス電話の外部で発生し（１１６）、
（ｂ）  前記グループ化を表わすデータは電話内にロードされる（１１８）こと
をさらなる特徴とする請求項４記載の方法。
【請求項６】  前記少なくとも１つのタイプは、以下の少なくとも１つであることをさらなる特徴とする請求項４記載の方法。
（ａ）  緊急（６０２）
（ｂ）  標準オーバザエアサービス規定（６０４）
（ｃ）  非標準のオーバザエアサービス規定（６０６）
（ｄ）  音声（６０８）
（ｅ）  データ（６１０）
【請求項７】  前記方法は、ワイヤレス電話において前記グループ化された電話番号を電話帳（５１２）に記憶することを含むことをさらなる特徴とする請求項４記載の方法。
【請求項８】  各呼発生スキームは以下の要素の少なくとも１つを含むことを特徴とする請求項１記載の方法。
（ａ）  前記第１の発生行為が失敗した場合に行うべき呼の発生（７０２）の数
（ｂ）  サービスの好ましいモード（７０４）
（ｃ）  今すぐに利用可能でないときにサービスを待つかどうか（７０６）。
【請求項９】  前記方法は、少なくとも１つの呼発生スキームに対して、
（ａ）  失敗した発生行為がなぜ失敗したかについての理由を決定すること（８０４）と、
（ｂ）  当該理由に関しての少なくとも１つの次の発生行為の少なくとも１つの要素を調整すること、
を含むことをさらなる特徴とする請求項１記載の方法。
【請求項１０】  前記理由は、少なくとも１つの呼発生スキームに対して、以下の事象の少なくとも１つを含むことをさらなる特徴とする請求項９記載の方法。
（ａ）  阻止（９０２）
（ｂ）  フェード（９０４）及び
（ｃ）  カスタマではない（９０６）
【請求項１１】  ワイヤレス電話呼を発生するための装置であって、
（ａ）（１）  少なくとも
第１の呼発生スキームを呼び出される少なくとも第１の起こり得る電話番号に関連付けるとともに、
（２）  第２の呼発生スキームを読み出される少なくとも第２の起こり得る電話番号に関連付ける（１０２）ための手段と、
（ｂ）  ワイヤレス電話において関連付けを表わすデータを記憶する（１０４）ための手段と、
（ｃ）  前記電話番号の１つを前記ワイヤレス電話に入力する（１０６）ための手段と、
（ｄ）  前記入力された電話番号に関連付けられた前記呼発生スキームを決定する（１０８）ための手段と、
（ｅ）  前記関連付けられた呼発生スキームに従って、前記呼を設定する（１１０）ための手段と
を含むことを特徴とする装置。
【請求項１２】  前記データはルックアップテーブル（１２０）を含むことをさらなる特徴とする請求項１１記載の装置。
【請求項１３】  前記データはスクリプト（１２２）を含むことをさらなる特徴とする請求項１１記載の装置。
【請求項１４】  関連付ける前記手段は、
（ａ）  （１）  少なくとも第１の複数の電話番号を第１のタイプにグループ化するとともに、
（２）  少なくとも第２の複数の電話番号を第２のタイプにグループ化する（１１２）ための手段と、
（ｂ）  （１）  前記第１の呼発生スキームを前記第１のタイプに関連付けるとともに、
（２）  前記第２の呼発生スキームを前記第２のタイプに関連付ける（１１４）ための手段と、
を含むことをさらなる特徴とする請求項１１記載の装置。
【請求項１５】  （ａ）  前記グループ化は、前記ワイヤレス電話の外部（１１６）で発生し、
（ｂ）  前記グループ化を表わすデータは前記電話内にロードされる（１１８）ことをさらなる特徴とする請求項１４記載の装置。
【請求項１６】  少なくとも１つのタイプは以下のタイプの少なくとも１つであることをさらなる特徴とする請求項１４記載の装置。
（ａ）  緊急（６０２）
（ｂ）  標準オーバザエアサービス規定（６０４）
（ｃ）  非標準のオーバザエアサービス規定（６０６）
（ｄ）  音声（６０８）及び
（ｅ）  データ（６１０）
【請求項１７】  前記装置は、前記ワイヤレス電話において前記グループ化された電話番号を電話帳（５１２）に記憶するための手段を含むことをさらなる特徴とする請求項１４記載の装置。
【請求項１８】  各呼発生スキームは、以下の要素の少なくとも１つを含むことを特徴とする請求項１１記載の装置。
（ａ）  前記第１の発生行為が失敗したときに行われるべき発生（７０２）の数
（ｂ）  サービスの好ましいモード（７０４）
（ｃ）  今すぐに利用可能でないときにサービスを待つかどうか（７０６）。
【請求項１９】  前記装置は、少なくとも１つの呼発生スキームに対して、
（ａ）  失敗した発生行為がなぜ失敗したかについての理由を決定する（８０４）ための手段と、
（ｂ）  前記理由に関する少なくとも１つの次の発生行為の少なくとも１つの要素を調整する（８０６）ための手段と、
を含むことをさらなる特徴とする請求項１１記載の装置。
【請求項２０】  前記理由は、少なくとも１つの呼発生スキームに対して、以下の事象の少なくとも１つを含むことをさらなる特徴とする請求項１９記載の装置。
（ａ）  阻止（８０２）
（ｂ）  フェード（８０４）
（ｃ）  カスタマではない（８０６）。
【請求項２１】
（ａ）  （１）  少なくとも、第１の呼発生スキームを呼び出される少なくとも第１の起こり得る電話番号に関連付けるとともに、
（２）  第２の呼発生スキームを呼び出される少なくとも第２の起こり得る電話番号に関連付け（１０２）、
（ｂ）  ワイヤレス電話において上記関連付けを表わすデータを記憶し（１０４）、
（ｃ）  前記電話番号の１つをワイヤレス電話に入力し（１０６）、
（ｄ）  前記入力された電話番号に関連する前記呼発生スキームを決定し（１０８）、
（ｅ）  上記関連付けられた呼発生スキームに従って呼を設定すること（１１０）
を具備する方法を実行するための機械読取り可能な指令が記憶された機械読取り可能な媒体。